(57)【要約】【課題】より簡易な構成で且つ性能や音質が低下することなく音量を調整することができる粒子伝導型のスピーカを提供する。【解決手段】磁気回路内に設けられ、入力される駆動電流に基づいて振動するボイスコイル２と、ボイスコイル２に固定される振動板５と、を備え、ボイスコイル２の振動が振動板５に伝達されることにより音声が出力される粒子伝導型のスピーカ１０００において、振動板５に負荷するストレスの度合いを調整する調整回路２００を備えるよう構成した。【選択図】図１
2006333030.tif 000002
【特許請求の範囲】
【請求項１】
磁気回路内に設けられ、入力される駆動電流に基づいて振動するボイスコイルと、前記ボイスコイルに固定される振動板と、を備え、前記ボイスコイルの振動が前記振動板に伝達されることにより音声が出力される粒子伝導型のスピーカにおいて、
前記駆動電流のうちの直流成分の電流量を調整して前記ボイスコイルに入力することにより、前記振動板に負荷するストレスの度合いを調整する調整手段と、
前記駆動電流を発生させる駆動電流生成回路中に、前記ボイスコイルへの駆動電流の入力を遮断するミュート手段と、を備え、
前記振動板は、前記ボイスコイルに固定される部分に曲面部を備え、
前記駆動電流のうちの直流成分を前記ボイスコイルに入力することにより、前記振動板の前記曲面部の形状が平面に近づくことを特徴とする粒子伝導型のスピーカ。
【請求項２】
磁気回路内に設けられ、入力される駆動電流に基づいて振動するボイスコイルと、前記ボイスコイルに固定される振動板と、を備え、前記ボイスコイルの振動が前記振動板に伝達されることにより音声が出力される粒子伝導型のスピーカにおいて、
前記振動板に負荷するストレスの度合いを調整する調整手段を備えることを特徴とする粒子伝導型のスピーカ。
【請求項３】
請求項２に記載の粒子伝導型のスピーカにおいて、
前記調整手段は、
前記駆動電流のうちの直流成分の電流量を調整して前記ボイスコイルに入力することにより、前記振動板に負荷するストレスの度合いを調整することを特徴とする粒子伝導型のスピーカ。
【請求項４】
請求項３に記載の粒子伝導型のスピーカにおいて、
前記振動板は、前記ボイスコイルに固定される部分に曲面部を備え、
前記駆動電流のうちの直流成分を前記ボイスコイルに入力することにより、前記振動板の前記曲面部の形状が平面に近づくことを特徴とする粒子伝導型のスピーカ。
【請求項５】
請求項３又は４に記載の粒子伝導型のスピーカにおいて、
前記駆動電流を発生させる駆動電流生成回路中に、前記ボイスコイルへの駆動電流の入力を遮断するミュート手段を備えることを特徴とする粒子伝導型のスピーカ。
【発明の詳細な説明】
【技術分野】
【０００１】
本発明は、粒子伝導型のスピーカに関する。
【背景技術】
【０００２】
従来、ボイスコイルが往復運動することによって生成された振動を、空気に伝達させることによって音声を出力するスピーカ（例えば、特許文献１，２参照）や、振動板に伝達させることによって音声を出力する粒子伝導型のスピーカ（例えば、特許文献３，４参照）が知られている。
【０００３】
具体的には、従来からの粒子伝導型のスピーカにおいては、ストレスを与えた振動板に、ボイスコイルにより発生された振動を伝達させることによって、音声を出力している。そして、駆動電流を発生させる回路中に備えた音量調整部によって、出力される音声の音量を調整するようになっている。
【特許文献１】特開平９−２８９６９９号公報
【特許文献２】特開昭５７−１１８４９５号公報
【特許文献３】特開２００４−１２０５１７号公報
【特許文献４】特開２０００−３５０２８５号公報
【発明の開示】
【発明が解決しようとする課題】
【０００４】
しかしながら、音量調整部を備える分、駆動電流を発生させる回路の構造が複雑になるという問題がある。また、当該回路中に音量調整部があることによって、性能や音質が低下するという問題がある。
【０００５】
本発明の課題は、より簡易な構成で且つ性能や音質が低下することなく音量を調整することができる粒子伝導型のスピーカを提供することにある。
【課題を解決するための手段】
【０００６】
上記課題を解決するために、請求項１に記載の発明は、磁気回路内に設けられ、入力される駆動電流に基づいて振動するボイスコイルと、前記ボイスコイルに固定される振動板と、を備え、前記ボイスコイルの振動が前記振動板に伝達されることにより音声が出力される粒子伝導型のスピーカにおいて、前記駆動電流のうちの直流成分の電流量を調整して前記ボイスコイルに入力することにより、前記振動板に負荷するストレスの度合いを調整する調整手段と、前記駆動電流を発生させる駆動電流生成回路中に、前記ボイスコイルへの駆動電流の入力を遮断するミュート手段と、を備え、前記振動板は、前記ボイスコイルに固定される部分に曲面部を備え、前記駆動電流のうちの直流成分を前記ボイスコイルに入力することにより、前記振動板の前記曲面部の形状が平面に近づくことを特徴とする。
【０００７】
請求項２に記載の発明は、磁気回路内に設けられ、入力される駆動電流に基づいて振動するボイスコイルと、前記ボイスコイルに固定される振動板と、を備え、前記ボイスコイルの振動が前記振動板に伝達されることにより音声が出力される粒子伝導型のスピーカにおいて、前記振動板に負荷するストレスの度合いを調整する調整手段を備えることを特徴とする。
【０００８】
請求項３に記載の発明は、請求項２に記載の粒子伝導型のスピーカにおいて、前記調整手段は、前記駆動電流のうちの直流成分の電流量を調整して前記ボイスコイルに入力することにより、前記振動板に負荷するストレスの度合いを調整することを特徴とする。
【０００９】
請求項４に記載の発明は、請求項３に記載の粒子伝導型のスピーカにおいて、前記振動板は、前記ボイスコイルに固定される部分に曲面部を備え、前記駆動電流のうちの直流成分を前記ボイスコイルに入力することにより、前記振動板の前記曲面部の形状が平面に近づくことを特徴とする。
【００１０】
請求項５に記載の発明は、請求項３又は４に記載の粒子伝導型のスピーカにおいて、前記駆動電流を発生させる駆動電流生成回路中に、前記ボイスコイルへの駆動電流の入力を遮断するミュート手段を備えることを特徴とする。
【発明の効果】
【００１１】
請求項１に記載の発明によれば、調整手段によって、駆動電流のうちの直流成分の電流量を調整してボイスコイルに入力することにより、振動板に負荷するストレスの度合いを調整することで音量を調整することができる。すなわち、従来のように、駆動電流を発生させる駆動電流生成回路中に備えた音量調整部によって、出力される音声の音量を調整するのではなく、振動板にストレスを負荷すると出力される音声の音量が上がるという、粒子伝導型のスピーカの特性を活かして、出力される音声の音量を調整することができる。また、駆動電流のうちの直流成分を利用して音量を調整するため、駆動電流生成回路中に、駆動電流のうちの直流成分を除去するコンデンサを備える必要がない。したがって、駆動電流生成回路中に音量調整部及びコンデンサを備える必要がなくなって、より簡易な構成で、且つ、より性能や音質を低下させることなく、音量を調整することができる。
【００１２】
また、前記駆動電流を発生させる駆動電流生成回路中に備えたミュート手段によって、ボイスコイルへの駆動電流の入力を遮断することができるため、確実に、音声の音量をゼロにすることができる。
【００１３】
また、駆動電流のうちの直流成分をボイスコイルに入力することによって、振動板の曲面部の形状を平面に近づけることができるため、使用状態において、外見をすっきりとさせることができる。
【００１４】
請求項２に記載の発明によれば、調整手段によって、振動板に負荷するストレスの度合いを調整することで音量を調整することができる。すなわち、従来のように、駆動電流を発生させる回路（駆動電流生成回路）中に備えた音量調整部によって、出力される音声の音量を調整するのではなく、振動板にストレスを負荷すると出力される音声の音量が上がるという、粒子伝導型のスピーカの特性を活かして、出力される音声の音量を調整することができる。したがって、駆動電流生成回路中に音量調整部を備える必要がなくなって、簡易な構成で、且つ、性能や音質を低下させることなく、音量を調整することができる。
【００１５】
請求項３に記載の発明によれば、請求項２に記載の発明と同様の効果が得られることは無論のこと、調整手段は、駆動電流のうちの直流成分の電流量を調整してボイスコイルに入力することにより、振動板に負荷するストレスの度合いを調整することができる。すなわち、駆動電流のうちの直流成分によって、音量を調整することができる。
【００１６】
従来からの粒子伝導型のスピーカにおいては、ボイスコイルの耐性上の理由などから、駆動電流のうちの直流成分は、駆動電流を発生させる回路（駆動電流生成回路）中に備えられたコンデンサによって除去されていた。一方、本発明の粒子伝導型のスピーカにおいては、駆動電流のうちの直流成分を利用して音量を調整するため、駆動電流生成回路中に当該コンデンサを備える必要がない。したがって、より簡易な構成で、且つ、より性能や音質を低下させることなく、音量を調整することができる。
【００１７】
請求項４に記載の発明によれば、請求項３に記載の発明と同様の効果が得られることは無論のこと、駆動電流のうちの直流成分をボイスコイルに入力することによって、振動板の曲面部の形状を平面に近づけることができるため、使用状態において、外見をすっきりとさせることができる。
【００１８】
請求項５に記載の発明によれば、請求項３又は４に記載の発明と同様の効果が得られることは無論のこと、駆動電流を発生させる駆動電流生成回路中に備えたミュート手段によって、ボイスコイルへの駆動電流の入力を遮断することができる。
【００１９】
駆動電流のうちの直流成分の電流量を調整するだけの構成では、駆動電流のうちの交流成分がボイスコイルに入力されるため、出力される音声の音量をゼロにすることができない。したがって、ミュート手段を備えることにより、確実に、音量をゼロにすることができる。
【発明を実施するための最良の形態】
【００２０】
以下、図を参照して、本発明にかかる粒子伝導型のスピーカの最良の形態を詳細に説明する。なお、発明の範囲は、図示例に限定されない。
[粒子伝導型のスピーカの構成]
粒子伝導型のスピーカ１０００（以下、スピーカ１０００）は、例えば、図１に示すように、音声出力部１と、駆動電流生成回路１００と、などを備えて構成される。
＜音声出力部の構成＞
まず、音声出力部１の構成を、図２を参照して説明する。
【００２１】
音声出力部１は、例えば、図２に示すように、磁気回路内に設けられ、入力される駆動電流に基づいて振動するボイスコイル２と、ボイスコイル２によって周囲を略取り囲まれた永久磁石３と、永久磁石３の周囲を取り囲んだヨーク４と、ボイスコイル２に固定される振動板５と、当該振動板５にストレスを負荷せず、振動板５を支持する支持部６と、ボイスコイル２，永久磁石３，ヨーク４を収納する筐体としてのフレーム７と、などを備えて構成される。
【００２２】
具体的には、音声出力部１は、ボイスコイル２の振動が、直接、振動板５に伝達されることにより音声が出力される。
【００２３】
ボイスコイル２は、駆動電流生成回路１００から入力される駆動電流のうちの直流成分に基づいて、軸方向の一方側へ移動する。また、ボイスコイル２は、駆動電流生成回路１００から入力される駆動電流のうちの交流成分に基づいて、軸方向の往復運動を繰り返すことによって振動を生成する。
【００２４】
具体的には、ボイスコイル２は、例えば、円筒形状に成形したボビン２１の周囲に、導線２２を螺旋状に巻回させることによって形成される。
【００２５】
ボビン２１は、例えば、略長方形状の板状部材の長手方向の両端部を接合することによって円筒形状に成形される。したがって、ボビン２１の軸方向両端には、開口部２１ａ，２１ｂが設けられている。
【００２６】
ボビン２１を形成する材料としては、非磁性材料であれば制限はなく、例えば、ポリエチレン・テレフタレートフィルム、ポリイミドフィルム、ポリカーボネートフィルム、ナイロンフィルムなどの各種フィルムなどを用いることができる。
【００２７】
導線２２は、例えば、ボビン２１の一方の開口部２１ａ端から、ボビン２１の軸方向の長さに対して略３分の２程度に亘って、ボビン２１の軸方向と略直行する方向に規則正しく螺旋状に巻回される。なお、隣り合う導線２２同士の間隔や導線２２の巻回回数は自由に設定することができる。
【００２８】
導線２２としては、導電性を備える細線であれば制限はなく、例えば、エナメルなどの
絶縁被膜付きの銅線（エナメル線など）などを用いることができる。
【００２９】
永久磁石３は、ボイスコイル２の導線２２の巻回方向と略直交する方向（軸方向）に起立しており、導線２２が巻回された側の開口部２１ａに挿入されることによって、ボイスコイル２に略取り囲まれた状態となる。永久磁石３は、円柱形状を成しており、その直径は、ボビン２１の内径よりも僅かに小さく、永久磁石３がボイスコイル２によって取り囲まれた際に、ボビン２１の内壁と永久磁石３の側面とが互いに接しない程度の長さになっている。永久磁石３は、Ｓ極とＮ極を有し、Ｓ極を構成する一方の端部３ｂは、ボイスコイル２によって取り囲まれ、Ｎ極を構成する他方の端部３ａは、開口部２１ａより外側に露出し、ヨーク４に固定されている。
【００３０】
永久磁石３としては、例えば、アルニコ磁石などの合金磁石や、フェライト磁石、サマリウム・コバルト磁石などの希土類磁石などを用いることができる。
【００３１】
ヨーク４は、永久磁石３が作り出す反磁場による影響を抑えて、永久磁石３の吸着力を増幅させる。
【００３２】
ヨーク４は、例えば、円盤形状の平板部４１と、平板部４１の円周に連続的に起立する側壁部４２とによって、一体的に（或いは、別体を接合したものでもよい）形成されたものである。平板部４１の側壁部４２が起立する側の平面の略中央には、平板部４１の平面と永久磁石３の端部３ａの端面とが当接するように、永久磁石３が固着されている。平板部４１の直径は、平板部４１の円周に連続的に設けられた側壁部４２の内壁と、平板部４１の略中央に固着された永久磁石３を取り囲むボイスコイル２とが、接しない程度の長さになっている。
【００３３】
ヨーク４を形成する材料としては、軟磁性材料であれば制限はなく、例えば、鉄や、鈍鉄、ケイ素鉄、アモルファスなどを用いることができる。
【００３４】
振動板５は、例えば、略長方形状の板状部材の中央部が長手方向に湾曲された状態に成形される。
【００３５】
振動板５の湾曲された中央部（曲面部５１）は、ボイスコイル２に固定される部分であり、具体的には、曲面部５１の内面５１ａと、ボイスコイル２の開口部２１ｂ側の端面とが固着されている。
【００３６】
振動板５の長手方向の二つの端部５２，５２は、支持部６，６によって支持されている。
【００３７】
振動板５を形成する材料としては、例えば、木材や紙材、金属、樹脂などの適宜好適な材料を用いることができる。
【００３８】
具体的には、木材としては、例えば、マホガニー、ローズウッド、エボニー、樫、楢、楓、チーク、松、桐、バルサ材などの各種木材を用いることができる。
【００３９】
紙材としては、例えば、ケント紙、画用紙、厚紙（ボール紙）、ダンボール紙などの各種紙材を用いることができる。
【００４０】
金属としては、例えば、アルミニウム、銅、ステンレスなどの各種金属を用いることができる。
【００４１】
樹脂としては、熱硬化性樹脂と熱可塑性樹脂の何れをも用いることができ、例えば、ポリエステル樹脂、ポリエチレン樹脂、エポキシ樹脂、アクリロニトリル・ブタジエン・スチレン樹脂（ＡＢＳ樹脂）などの各種樹脂を用いることができる。
【００４２】
なお、振動板５は、一種類の材料から形成されていてもよいし、複数種類の材料から形成されていてもよい。また、振動板５は、板状部材の中央部を湾曲させて成形したもの（成形部材）であれば、一枚の成形部材から成るものであってもよいし、複数枚の成形部材を貼り合せて成るものであってもよい。
【００４３】
支持部６は、フレーム７に固定されており、振動板５にストレスを負荷せずに、すなわち、曲面部５１が湾曲した状態で、振動板５の長手方向の端部５２を支持している。
【００４４】
フレーム７は、ボイスコイル２，永久磁石３，ヨーク４を収納する。フレーム７は、開口部７１を備えており、振動板６は、開口部７１側で、支持部６を介してフレーム７に取付けられる。
＜駆動電流生成回路の構成＞
次に、駆動電源生成回路１００について、図１及び図３を参照して説明する。
【００４５】
駆動電源生成回路１００は、例えば、図１に示すように、調整回路２００と、交流生成部３００と、ミュート回路４００と、アンプ５００と、などにより構成される。
【００４６】
なお、音声出力部１は、例えば、図１に示すように、二つの入力端子１ａ，１ｂを有している。一方の入力端子１ａは、アンプ５００と接続されており、もう一方の入力端子１ｂは、接地されている。
【００４７】
調整回路２００は、調整手段として、駆動電流のうちの直流成分の電流量を調整して、音声出力部１のボイスコイル２に入力することにより、音声出力部１の振動板５に負荷するストレスの度合いを調整する。
【００４８】
より具体的には、調整回路２００は、例えば、図３に示すように、直流電源２１０と、トランジスタ（ＮＰＮ型）２２０と、ツェナーダイオード２３０と、コイル２４０と、オペアンプ２５０と、可変抵抗２６０と、などにより構成される。
【００４９】
ここで、オペアンプ２５０の非反転入力端子（＋端子）は、基準電圧印加部２７０を介して接地されており、可変抵抗２６０は、抵抗２８０を介して接地されている。
【００５０】
直流電源２１０は、トランジスタ２２０，ツェナーダイオード２３０及びコイル２４０を介して、直流成分の電流を、出力点（ａ）及びオペアンプ２５０の反転入力端子（−端子）に出力する。
【００５１】
オペアンプ２５０は、反転入力端子（−端子）の電圧値と、非反転入力端子（＋端子）の電圧値との差分を増幅し、その増幅信号を、トランジスタ２２０のベース端子に出力して、トランジスタ２２０を制御する。これにより、オペアンプ２５０には、負帰還がかかっている。
【００５２】
具体的には、オペアンプ２５０の反転入力端子（−端子）の電圧値は、可変抵抗２６０の抵抗値の変化に伴って、変化する。一方、オペアンプ２５０の非反転入力端子（＋端子）の電圧値は、オペアンプ２５０の非反転入力端子（＋端子）が接地されているため、一定である。ここで、オペアンプ２５０には、負帰還がかかっているため、オペアンプ２５０は、反転入力端子（−端子）の電圧値と、非反転入力端子（＋端子）の電圧値との差分がゼロになるように、トランジスタ２２０を制御する。そして、当該制御されたトランジスタ２２０によって、出力点（ａ）及びオペアンプ２５０の反転入力端子（−端子）に出力される直流成分の電流量が調整される。
【００５３】
より具体的には、オペアンプ２５０の反転入力端子（−端子）の電圧値と非反転入力端子（＋端子）の電圧値が等しい状態で、可変抵抗２６０の抵抗値を上げると、オペアンプ２５０の反転入力端子（−端子）の電圧値が、非反転入力端子（＋端子）の電圧値よりも、高くなる。しかしながら、オペアンプ２５０には、負帰還がかかっているため、オペアンプ２５０は、反転入力端子（−端子）に入力される電流量を少なくするよう、トランジスタ２２０を制御する。これに伴い、出力点（ａ）に出力される電流量も少なくなる。
【００５４】
一方、可変抵抗２６０の抵抗値を下げると、オペアンプ２５０の反転入力端子（−端子）の電圧値が、非反転入力端子（＋端子）の電圧値よりも、低くなる。しかしながら、オペアンプ２５０には、負帰還がかかっているため、オペアンプ２５０は、反転入力端子（−端子）に入力される電流量を多くするよう、トランジスタ２２０を制御する。これに伴い、出力点（ａ）に出力される電流量も多くなる。
【００５５】
すなわち、可変抵抗２６０の抵抗値を上げることによって、調整回路２００から出力点（ａ）に出力される直流成分の電流量が低下し、可変抵抗２６０の抵抗値を下げることによって、調整回路２００から出力点（ａ）に出力される直流成分の電流量が増加する。
【００５６】
なお、ツェナーダイオード２３０は、過電圧が印加されるのを防止するのために備えられている。
【００５７】
また、コイル２４０は、直流成分の電流を平滑化するために備えられている。
【００５８】
交流生成部３００は、音声信号である交流成分の電流を、アンプ５００を介して、音声出力部１に出力する。このとき、交流生成部３００から出力される交流成分の電流は、調整回路２００から出力された直流成分の電流とともに、駆動電流（いわゆる、直流バイアスが印加された交流電流）として、音声出力部１に供給される。
【００５９】
ミュート回路４００は、ミュート手段として、音声出力部１のボイスコイル２への駆動電流の入力を遮断することにより、音声出力部１から出力される音声の音量をゼロにする。
【００６０】
アンプ５００は、調整回路２００から入力された直流成分の電流及び交流生成部３００から入力された交流成分の電流から成る駆動電流を増幅して、音声出力部１の入力端子１ａに出力する。そして、音声出力部１の入力端子１ａに出力された駆動電流は、音声出力部１のボイスコイル２に入力される。
【００６１】
なお、調整回路２００中の可変抵抗２６０の抵抗値の調整、ミュート回路４００の制御は、電動で行ってもよいし、手動で行ってもよい。
[音声出力機構]
次に、スピーカ１０００における、音声出力部１による音声出力機構を、図２及び図４を参照して説明する。
【００６２】
永久磁石３及びヨーク４によって、磁気回路（磁界）が形成される。
【００６３】
具体的には、ヨーク４の側壁部４２が取り囲む領域に、永久磁石３により生成され、ヨーク４により導かれた磁束によって、強い磁場が発生する。したがって、当該磁気回路内に設けられたボイスコイル２は、強い磁場の中に配置されていることとなる。
【００６４】
ボイスコイル２と永久磁石３とヨーク４とが、図２に示すように配置され、駆動電流生成回路１００からボイスコイル２に駆動電流が入力されることによって、永久磁石３による磁界と、導線２２を流れる電流との間に電磁力が生じる。
【００６５】
駆動電流のうちの直流成分に基づく電磁力がボイスコイル２に作用することによって、例えば、図４に示すように、ボイスコイル２は、軸方向の一方側（例えば、下側）へと移動する。ボイスコイル２の移動の距離は、ボイスコイル２に入力される駆動電流のうちの直流成分の電流量が多いほど、長くなる。具体的には、例えば、ボイスコイル２に入力された直流成分の電流量がゼロの場合（図２）は、ボイスコイル２の移動の距離はゼロとなる。そして、第１の電流量の直流成分の電流をボイスコイル２に入力した場合（図４（ａ））よりも、第１の電流量よりも多い第２の電流量の直流成分の電流をボイスコイル２に入力した場合（図４（ｂ））の方が、ボイスコイル２の移動の距離は長くなる。
【００６６】
また、駆動電流のうちの交流成分に基づく電磁力がボイスコイル２に作用することによって、ボイスコイル２は、軸方向の往復運動を繰り返して、振動を生成する。
【００６７】
ボイスコイル２に固定された振動板５の曲面部５１の形状は、ボイスコイル２の軸方向下側への移動によって、例えば、図４に示すように、平面へと近づいていく。すなわち、ボイスコイル２に駆動電流のうちの直流成分を入力することにより、振動板５の曲面部５１の形状が平面に近づいていき、振動板５はストレスが負荷された状態となる。このストレスが負荷された状態の振動板５に、駆動電流のうちの交流成分に基づくボイスコイル２の振動が伝達されることによって音声が出力される。具体的には、振動板５を構成する分子の粒子を、ストレスを負荷した状態で、ボイスコイル２で生成された振動により揺り動かすことによって音声が出力される。このとき出力される音声の音量は、振動板５に負荷するストレスが大きいほど、大きくなる。具体的には、例えば、振動板５にストレスが負荷されていない場合（図２）、振動板５に負荷するストレスが小さい場合（図４（ａ））、振動板５に負荷するストレスが大きい場合（図４（ｂ））の順に、出力される音声の音量が大きくなっていく。
【００６８】
すなわち、スピーカ１０００においては、駆動電源生成回路１００中の調整回路２００内の可変抵抗２６０の抵抗値を調整することによって、音声出力部１のボイスコイル２に入力される駆動電流のうちの直流成分の電流量を調整して音声出力部１の振動板５に負荷するストレスの度合いを調整し、音声出力部１から出力される音声の音量を調整する。また、駆動電流生成回路１００中のミュート回路４００を制御して、駆動電流生成回路１００からボイスコイル２に入力される駆動電流の電流量をゼロにすることによって、音声出力部１から出力される音声の音量をゼロにする。
【００６９】
なお、音声出力部１の振動板５の曲面部５１の形状が略平面になった状態（図４（ｂ））におけるボイスコイル２の位置は、当該ボイスコイル２の可動範囲の略中立位置になっている。
【００７０】
以上説明した本発明のスピーカ１０００によれば、調整回路２００によって、駆動電流のうちの直流成分の電流量を調整してボイスコイル２に入力することにより、振動板５に負荷するストレスの度合いを調整することで音量を調整することができる。すなわち、従来のように、駆動電流生成回路中に備えた音量調整部によって、出力される音声の音量を調整するのではなく、振動板５にストレスを負荷すると出力される音声の音量が上がるという、粒子伝導型のスピーカの特性を活かして、出力される音声の音量を調整することができる。また、駆動電流のうちの直流成分を利用して音量を調整するため、駆動電流生成回路１００中に、駆動電流のうちの直流成分を除去するコンデンサを備える必要がない。したがって、駆動電流生成回路１００中に音量調整部及びコンデンサを備える必要がなくなって、より簡易な構成で、且つ、より性能や音質を低下させることなく、音量を調整することができる。
【００７１】
また、駆動電流を発生させる駆動電流生成回路１００中に備えたミュート回路４００によって、ボイスコイル２への駆動電流の入力を遮断することができる。
【００７２】
駆動電流のうちの直流成分の電流量を調整するだけの構成では、駆動電流のうちの交流成分がボイスコイル２に入力されるため、スピーカ１０００から出力される音声の音量をゼロにすることができない。したがって、ミュート回路４００を備えることにより、確実に、音量をゼロにすることができる。
【００７３】
また、駆動電流のうちの直流成分をボイスコイル２に入力することによって、振動板５の曲面部５１の形状を平面に近づけることができる。すなわち、スピーカ１０００の使用状態において、外見をすっきりとさせることができる。
【００７４】
以上説明した本発明のスピーカ１０００から出力される音声は、指向性が高く、周囲に雑音があっても聞き取りやすいという特徴がある。したがって、スピーカ１０００を周囲に雑音がある状況で使用すると、すなわち、例えば、乗り物用、通信用、家電用、携帯音楽用、街頭音声アナウンス用、業務機器用、娯楽施設用、店舗用、遊技機器用として使用すると、当該スピーカ１０００の特徴を十分に発揮することができる。
【００７５】
具体的には、乗り物用としては、例えば、車内（ドアやダッシュボード、トランク、シート下など）取り付け用、車外取り付け用、カーコンポ用、ナビゲーション用、交通機関（電車や飛行機、船舶など）内のアナウンス用、駅のホームや待合室でのアナウンス用などが挙げられる。
【００７６】
通信用としては、例えば、室内電話機用、携帯電話機用、トランシーバ用、各種無線機器用などが挙げられる。
【００７７】
家電用としては、例えば、モニター用、インターホン用、洗濯機用、乾燥機用、冷蔵庫用、ＩＨクッキングヒータ用、オーブンレンジ用、掃除機用、給湯器用、トイレ洗浄機用、空気清浄機用、ファンヒータ用、扇風機用、エアコン用、加湿器用、リモコン用などが挙げられる。
【００７８】
携帯音楽用としては、例えば、ラジカセ用、ヘッドフォンオーディオ（テープ型やＣＤ型、フラッシュメモリ型、ＨＤＤ型のヘッドフォンオーディオなど）用、ポータブルＡＶ機器用、ノートパソコン用などが挙げられる。
【００７９】
街頭音声アナウンス用としては、例えば、金融機関キャッシュディスペンサー用、入場制限システム（マンションやビルのセキュリティーシステムなど）用、交通機関の券売機（乗車券や搭乗券、乗船券などの販売機）用、自動販売機用、駐車場アナウンス用、信号機用、拡声器用などが挙げられる。
【００８０】
業務機器用としては、例えば、医療機器用、補聴器用、コピー機用、測定器用、電動工具用、工場設備機器用、フォークリフト用などが挙げられる。
【００８１】
娯楽施設用としては、例えば、映画館用、美術館用、動物園用、水族館用、劇場用、競技場（スポーツ施設や競馬場など）用、パチンコ館用、遊技場（ボーリング場など）用、展示場用などが挙げられる。
【００８２】
店舗用としては、例えば、デパート用、スーパーマーケット用、コンビニエンスストア用、量販店用、飲食店用、食堂用、市場用、販売店用、宿泊施設用などが挙げられる。
【００８３】
遊技機器用として、例えば、パチンコやスロットの台用、ロボット用、玩具用、ゲーム機用などが挙げられる。
【００８４】
なお、本発明は、上記した実施の形態のものに限るものではなく、その要旨を逸脱しない範囲で適宜変更可能である。
【００８５】
例えば、振動板５の曲面部５１におけるボイスコイル２を固定する位置は、駆動電流のうちの直流成分によって、曲面部５１の形状が平面に近づくのであれば、任意である。すなわち、具体的には、例えば、曲面部５１の内面５１ａにボイスコイル２を固定するようにしたが、駆動電流のうちの直流成分によって、曲面部５１の形状が平面に近づくのであれば、曲面部５１の外面５１ｂにボイスコイル２を固定するようにしてもよい。
【００８６】
振動板５にストレスを負荷すると、曲面部５１の形状が平面に近づくとしたが、逆に、振動板５にストレスを負荷しない状態では、振動板５を略平面にして、ストレスを負荷すると、振動板５が湾曲するようにしてもよい。この場合、スピーカ１０００の不使用状態において、外見をすっきりとさせることができる。
【００８７】
支持部６は、振動板５にストレスを負荷せずに、すなわち、曲面部５１が湾曲した状態で、振動板５を支持するとしたが、振動板５にストレスを負荷した状態で振動板５を支持してもよい。これにより、駆動電流のうちの直流成分の電流によって、さらにストレスを負荷することで、さらに音声出力量を上げることができる。この場合、支持部６によって
曲面部５１の形状が略平面となった状態で振動板５を支持することにより、スピーカ１０００の不使用状態において、外見をすっきりとさせることができる。
【００８８】
調整回路２００は、例えば、変形例としての調整回路２００Ａのようであってもよい。
【００８９】
具体的には、調整回路２００Ａは、例えば、図５に示すように、Ｄ／Ａコンバータ２１１Ａなどを備えたマイコン２１０Ａと、バッファ２２０Ａと、などにより構成される。
【００９０】
マイコン２１０Ａは、バッファ２２０Ａを介して、直流成分の電流を、出力点（ａ）に出力する。なお、マイコン２１０Ａから出力される直流成分の電流量は、図示しないマイコン２１０Ａ用の入力部（リモートコントローラなど）によって、調整することができるようになっている。
【００９１】
駆動電流生成回路１００中に備えられたミュート回路４００の構成は任意であり、例えば、トランジスタなどを使用してもよい。
振動板５に負荷するストレスの度合いを調整する手段としては、調整回路２００のような電気的な調整手段以外にも、例えば、図６に変形例として示した機械的な調整手段であってもよい。
【００９２】
具体的には、例えば、図６に示すように、音声出力部１Ａは、音声出力部１（図２）において、振動板５を振動板５Ａに変え、調整手段としての調整部８Ａを加えた。したがって、音声出力部１と異なる箇所のみについて説明し、その他の共通する部分は同一符号を付して説明する。
【００９３】
振動板５Ａは、例えば、略長方形状の板状部材の中心部に貫通孔５３Ａが設けられ、当該板状部材の中央部を長手方向に湾曲された形状に成形される。
【００９４】
振動板５Ａの湾曲された中央部（曲面部５１Ａ）は、ボイスコイル２に固定される部分であり、具体的には、曲面部５１Ａの内面５１ａＡと、ボイスコイル２の開口部２１ｂ側の端面とが固着されている。
【００９５】
振動板５Ａの長手方向の二つの端部５２Ａ，５２Ａは、支持部６，６によって支持されている。
【００９６】
調整部８Ａは、ナット８１Ａ及びボルト８２Ａを備え、ナット８１Ａの位置により振動板５Ａに負荷するストレスの度合いを調整する。
【００９７】
ナット８１Ａは、振動板５Ａの曲面部５１Ａの外面５１ｂＡ側に、ナット８１Ａの貫通孔が、振動板５Ａの貫通孔５３Ａと一致するように配されている。
【００９８】
ボルト８２Ａは、ボルトの頭部８２Ａｂが、振動板５Ａの曲面部５１Ａの外側５１ｂＡ側に位置するように、ナット８１Ａの貫通孔及び振動板５Ａの貫通孔５３を貫通している。ボルト８２の胴部８２Ａｂの端面は、永久磁石３の端部３ｂの端面に固定されている。
【００９９】
具体的には、例えば、図６及び図７に示すように、調整部８Ａのナット８１Ａを軸方向へ移動させることによって、振動板５Ａに負荷するストレスの度合いを調整することができる。より具体的には、ナット８１Ａの軸方向下側への移動距離がゼロの場合（図６）は、振動板５Ａにストレスが負荷されない。そして、第１の移動距離でナット８１Ａを軸方向下側へ移動させた場合（図７（ａ））よりも、第１の移動距離よりも長い第２の移動距離でナット８１Ａを軸方向下側へ移動させた場合（図７（ｂ））の方が、振動板５Ａに負荷されるストレスが大きくなる。
【０１００】
そして、振動板５Ａに、駆動電流のうちに交流成分に基づくボイスコイル２の振動が伝達される際において、例えば、振動板５Ａにストレスが負荷されていない場合（図６）、振動板５Ａに負荷するストレスが小さい場合（図７（ａ））、振動板５Ａに負荷するストレスが大きい場合（図７（ｂ））の順に、出力される音声の音量が大きくなっていく。
【０１０１】
なお、ナット８１Ａを軸方向へ移動させるのは、電動で行ってもよいし、手動でおこな
ってもよい。
【０１０２】
音声出力部１Ａを備えた粒子伝導型のスピーカによれば、振動板５Ａに、調整部８によりストレスを負荷することに加えて、駆動電流のうちの直流成分によって、更にストレスを負荷することで、更に音声出力量を上げることができる。
【０１０３】
また、音声出力部１Ａを備えた粒子伝導型のスピーカは、音声出力部１Ａの調整部８Ａのナット８１Ａの位置を固定しておけば、常に、同じ音量で音声が出力される。したがって、音声出力部１Ａを備えた粒子伝導型のスピーカは、特に、音量を固定した状況での使用に、すなわち、例えば、交通機関（電車や飛行機、船舶など）内のアナウンス用、駅のホームや待合室でのアナウンス用、街頭音声アナウンス用としての使用に適している。
【図面の簡単な説明】
【０１０４】
【図１】粒子伝導型のスピーカにおける駆動電流生成回路含む要部のブロック図である。
【図２】図１に示す音声出力部の概略断面図である。
【図３】図１に示す調整回路の回路図である。
【図４】音声出力部において、第１の電流量の直流成分の電流をボイスコイルに入力した場合の概略断面図（ａ）、第２の電流量の直流成分の電流をボイスコイルに入力した場合の概略断面図（ｂ）である。
【図５】変形例としての調整回路の回路図である。
【図６】変形例としての音声出力部の概略断面図である。
【図７】変形例としての音声出力部において、第１の移動距離でナットを移動させた場合の概略断面図（ａ）、第２の移動距離でナットを移動させた場合の概略断面図（ｂ）である。
【符号の説明】
【０１０５】
１，１Ａ  音声出力部
２  ボイスコイル
３  永久磁石
４  ヨーク
５，５Ａ  振動板
６  支持部
８Ａ  調整部（調整手段）
５１，５１Ａ  曲面部
１００  駆動電流生成回路
２００，２００Ａ  調整回路（調整手段）
４００  ミュート回路（ミュート手段）
１０００  粒子伝導型のスピーカ（スピーカ）
【図１】
2006333030.tif 000003
【図２】
2006333030.tif 000004
【図３】
2006333030.tif 000005
【図４】
2006333030.tif 000006
【図５】
2006333030.tif 000007
【図６】
2006333030.tif 000008
【図７】
2006333030.tif 000009